(57)【特許請求の範囲】
【請求項１】
左右に鈎部を有する雄爪と左右に係合片を有する雌爪とを備えていて雄爪の左右鈎部と雌爪の左右係合片とが相対咬合自在に対応しているものであり、この雄爪と雌爪との相対咬合や相対離脱によって、袋体の開口部を閉じたり開けたりするための合成樹脂製咬合具において、
左右鈎部のある雄爪が先細形の先端部を有していること、および、
雌爪の左右係合片が、その左右係合片間に雄爪の先端部を受け入れるための空間部を介在させているものであること、および、
雌爪の左右係合片における一部であってその左右係合片の中間部から先端側の頂部にわたる部位が登り勾配で傾斜して山形の形状をしていること、および、
雌爪の左右係合片における他の一部であって、その左右係合片の先端側頂部から先端部分４にわたる部位が下り勾配で傾斜して窪みのある谷形の形状をしているとともにその左右係合片の先端部分が互いに接触していること、および、
雄爪と雌爪との離脱状態において、雄爪における先細形の先端部と雌爪における谷形の窪みとが嵌め合い自在に対応するものであること
を特徴とする合成樹脂製咬合具。
【請求項２】
雄爪の先端角度をＡとし、雌爪の窪みの角度をＢとした場合に、Ａ≦Ｂの角度関係を満足させるものである請求項１に記載の合成樹脂製咬合具。
【発明の詳細な説明】
【技術分野】
【０００１】
本発明は、袋体の開口部を再開閉するための雌雄咬合型の合成樹脂製咬合具に関し、特に包入物が粉体や微粒体の袋体に適しているものである。
【背景技術】
【０００２】
開口部の内側に雌雄咬合型の合成樹脂製咬合具を設けた合成樹脂製袋体は咬合具の再開閉機能によって包入物の出し入れの際に開口部の開閉の容易性や密封性で便利に使用されている。この合成樹脂製咬合具は図４で示すように、左右に係合片３０ａ、３０ｂを備えた雌爪１０と、この雌爪１０のいわゆる懐と称している空間部５０内に進入して前記左右の係合片３０ａ、３０ｂに係合する雄爪２０とから構成されており、この雌雄爪１０、２０と袋本体部とをインフレーション方式やＴダイ方式により同時一体成形あるいは袋本体部と雌雄爪１０、２０を別個に成形し、しかる後に両者を一体化して合成樹脂製咬合具付袋体を得ることは一般的に行われている。
【０００３】
従来の雌爪１０は左右係合片３０ａ、３０ｂの先端部分に隙間６０を有している。このようなものは袋体内の包入物が粉体や微粒体７０である場合に問題が生じる。すなわち雌雄爪１０、２０を相対離脱させて粉体や微粒体７０を出し入れする場合であって粉体や微粒体７０が雌爪１０を通過するとき、隙間６０から雌爪１０の空間部５０内に進入した粉体や微粒体７０がその空間部５０を埋めて目詰まりさせる。また、図５で示すように、雌爪１０の左右係合片３０ａ、３０ｂ上に堆積した粉体や微粒体７０を雄爪２０が雌爪１０の空間部５０内に押し込んでしまうので目詰まりが生じる。このような目詰まりが生じると、それが原因で雌雄爪１０、２０が咬合不能になる。
【特許文献１】実公昭３４−２０５２１号公報
【特許文献２】特公昭３８−２０９３９号公報
【発明の開示】
【発明が解決しようとする課題】
【０００４】
本発明は、粉体や微粒体により雌爪の懐である空間部の目詰まりが生じることを阻止した雌雄咬合型の合成樹脂製咬合具を提供することである。
【課題を解決するための手段】
【０００５】
上記の課題を解決するための本発明は、
左右に鈎部を有する雄爪と左右に係合片を有する雌爪とを備えていて雄爪の左右鈎部と雌爪の左右係合片とが相対咬合自在に対応しているものであり、この雄爪と雌爪との相対咬合や相対離脱によって、袋体の開口部を閉じたり開けたりするための合成樹脂製咬合具において、
左右鈎部のある雄爪が先細形の先端部を有していること、および、
雌爪の左右係合片が、その左右係合片間に雄爪の先端部を受け入れるための空間部を介在させているものであること、および、
雌爪の左右係合片における一部であってその左右係合片の中間部から先端側の頂部にわたる部位が登り勾配で傾斜して山形の形状をしていること、および、
雌爪の左右係合片における他の一部であって、その左右係合片の先端側頂部から先端部分４にわたる部位が下り勾配で傾斜して窪みのある谷形の形状をしているとともにその左右係合片の先端部分が互いに接触していること、および、
雄爪と雌爪との離脱状態において、雄爪における先細形の先端部と雌爪における谷形の窪みとが嵌め合い自在に対応するものであること
を特徴とする。
【０００６】
本発明は、また、上記に記載された合成樹脂製咬合具において、
雄爪の先端角度をＡとし、雌爪の窪みの角度をＢとした場合に、Ａ≦Ｂの角度関係を満足させるものであること
を特徴とする。
【発明の効果】
【０００７】
本発明に係る合成樹脂製咬合具は、雌雄爪を相対離脱させたとき、雌爪の左右係合片の最先端部相互が対接状態となるため、雌爪の空間部内に粉体や微粒体が進入することがない。また、雌爪の左右係合片上に粉体や微粒体が堆積した状態で雄爪を雌爪に咬合させるときには、前記雌爪の左右係合片上に堆積している粉体や微粒体を掻き分けて左右係合片上から排除する作用が起こり得るから、雌爪の懐である空間部へ粉体や微粒体を押し込むことが抑制される。ゆえに本発明に係る合成樹脂製咬合具によるときは、雌雄爪の咬合不能の原因になる雌爪空間部の目詰まりが阻止ないし抑制され、この種の目詰まりに起因した咬合機能上の問題点がないものとなる。
【発明を実施するための最良の形態】
【０００８】
以下、本発明に係る合成樹脂製咬合具の実施形態を図面に基づいて説明する。図１において１は雌爪であり、２は前記雌爪１と咬合する雄爪である。この雄爪２は左右に鈎部２ｃ、２ｄを備えており、この左右の鈎部２ｃ、２ｄと先端部６との間にテーパ面２ａ、２ｂが形成されている。前記雌爪１は前記雄爪２の左右鈎部２ｃ、２ｄを係合するための左右係合片３ａ、３ｂを備え、この左右係合片３ａ、３ｂ間にいわゆる懐と称する空間部５を有している。
【０００９】
本発明に係る合成樹脂製咬合具において、前記雌爪１の左右係合片３ａ、３ｂは、その先端部分４が相互に対接する状態で形成される。この左右係合片３ａ、３ｂの前記雄爪２側に対面する背面３ｃ、３ｄは窪みを形成しており、この窪みは前記雄爪２の先端幅より広い幅を持たせた形態である。
【００１０】
前記雌爪１の左右係合片３ａ、３ｂによって形成する窪みは、若干の深さを持たせて雄爪２との咬合時における雄爪２の進入姿勢を安定化させる。さらに、雄爪２の形状と前記雌爪１の窪みは近似した形状とすることが好ましく、これによって、雄爪２と雌爪１の咬合のために雌爪１の左右係合片３ａ、３ｂを押し開き状態に導くための力が作用し易くなる。
【００１１】
前記左右係合片３ａ、３ｂの前記雄爪２側に対面する背面３ｃ、３ｄの窪みを前記雄爪２の先端幅より広い幅とすることによって、雄爪２は前記背面３ｃ、３ｄによる窪みに進入が可能となり、次いで雌爪１の左右係合片３ａ，３ｃを円滑に押し開いていくことができるものである。そして、雄爪２のテーパ面２ａ、２ｂがなす角度をＡとし、左右係合片３ａ、３ｂの背面３ｃ、３ｄの窪みの角度をＢとした場合、Ａ≦Ｂの角度関係とすることが好ましい。この角度関係により雌爪１の左右係合片３ａ、３ｂ上に粉体や微粒体が堆積した状態で雄爪２を雌爪１に咬合させるときに、前記雌爪１の左右係合片３ａ、３ｂ上に堆積している粉体や微粒体を左右掻き分けて左右係合片３ａ、３ｂ上から円滑に排除することができるのである。
【００１２】
さらに、雄爪２の先端部６が雄爪２の基部７の幅Ｌの範囲に位置し、かつ雌爪１の左右係合片３ａ、３ｂの先端部分４が合わさるよう対接若しくはそれに近い状態で対面する部位は、雄爪２の基部７の幅Ｌの範囲の延長線上に位置していることが好ましい。これは、雌雄爪１、２の咬合の円滑性を確保するためである。
【００１３】
本発明に係る合成樹脂製咬合具は上記の通りの構造である。かかる本発明咬合具を開口部に備えた袋体において、粉体や微粒体を出し入れするために雌雄爪１、２を相対離脱させたとき、左右係合片３ａ、３ｂは左右係合片３ａ、３ｂ自体が保有する弾性復元力で図２（Ａ）で示すように、雌爪１の左右係合片３ａ、３ｂの先端部分４が対接状態となり、粉体や微粒体は雌爪１の懐である空間部５内に進入することなく雌爪１上を通過する。
【００１４】
また、雌爪１の左右係合片３ａ、３ｂの窪み上に粉体や微粒体が堆積している状態で雄爪２と雌爪１とを相対咬合するときはつぎのようになる。図２（Ｂ）で示すように、雄爪２が雌爪１の左右係合片３ａ、３ｂを押し開く段階では堆積している粉体や微粒体もわずかである。特に雄爪２のテーパ面２ａ、２ｂがなす角度をＡとし、左右係合片３ａ、３ｂの背面３ｃ、３ｄの窪みの角度をＢとした場合、Ａ≦Ｂの角度関係とすることにより、雌爪１の左右係合片３ａ、３ｂ上に堆積している粉体や微粒体を左右に掻き分けて左右係合片３ａ、３ｂ上から円滑に排除するようになる。その結果、図２（Ｃ）（Ｄ）で示すように、雌爪１の空間部５内に粉体や微粒体を押し込むことが抑制され、雄爪２が雌爪１の空間部５内に進入して雄爪２の左右の鈎部２ｃ、２ｄが雌爪１の左右係合片３ａ、３ｂに係合することにより袋体の開口部が閉鎖される。
【００１５】
ゆえに本発明に係る合成樹脂製咬合具は、雌爪１の空間部５内に粉体や微粒体が進入して目詰まりが生じるとかそれに起因して咬合機能が阻害されるとかがなく、袋体の開口部の密封性を確保することとなる。
【００１６】
本発明に係る合成樹脂製咬合具について、雌爪１の製造方法の一例を図３で説明する。図３（Ａ）で示すように、左右係合片３ａ、３ｂが繋がっている状態で金型により押し出し成形して固化する。次ぎに図３（Ｂ）で示すように、左右係合片３ａ、３ｂ側を押圧して扁平状とし、この状態で左右係合片３ａ、３ｂの中間部位を薄い刃物又はレーザ等で微小幅のスリット８を形成し左右係合片３ａ、３ｂを分断する。その後、左右係合片３ａ、３ｂ側の押圧を解除して扁平状から弾性復元することで、分断した左右係合片３ａ、３ｂの先端部分４が対接状態で形成された雌爪１が得られる。
【産業上の利用可能性】
【００１７】
本発明に係る合成樹脂製咬合具は上記のような雌雄爪による咬合構成を有するので、粉体や微粒体のような包入物を包入する袋体に適しているが、粉体や微粒体以外の包入物を包入する袋体に適用することもできる。
【図面の簡単な説明】
【００１８】
【図１】本発明による咬合具の断面図
【図２】本発明による咬合具の作用説明図
【図３】本発明による咬合具の製造方法の一例の概略説明図
【図４】従来一般的な咬合具の断面図
【図５】従来一般的な咬合具による問題点を示す断面図
【符号の説明】
【００１９】
１    雌爪
２    雄爪
２ａ  左テーパ面
２ｂ  右テーパ面
２ｃ  左鈎部
２ｄ  右鈎部
３ａ  左係合片
３ｂ  右係合片
３ｃ  左係合片の背面
３ｄ  右係合片の背面
４    左右係合片の先端部分
５    空間部
６    雄爪の先端部
７    雄爪の基部
【図１】
0004509623.tif 000002
【図２】
0004509623.tif 000003
【図３】
0004509623.tif 000004
【図４】
0004509623.tif 000005
【図５】
0004509623.tif 000006